(57)【要約】【課題】前面の装飾を容易に変更することができ、かつその装飾による美感が損なわれない時計を提供する。【解決手段】時計本体１１前面の時刻表示部１４の周辺に装飾面１５が形成され、この装飾面１５に当てがわれる装飾シート１２を介在して透明のカバー板１３が時計本体１１前面に取り付けられる。このカバー板１３の周囲に磁性体または磁石からなるピン２５が設けられ、上記時計本体１１前面の周囲に磁石１９がそれぞれ設けられ、前記磁石１９の磁力によって前記カバー板１３が前記時計本体１１前面に着脱自在に取り付けられる。これにより、前記カバー板１３が装飾面１５に当てがわれた装飾シート１２を時計本体１１前面に挟んで保持するので、前記装飾シート１２に施されたデザイン２２により時計１０前面を装飾することができる。また、前記装飾シート１２を交換することで時計１０前面の装飾を容易に変更することができる。【選択図】図１
0003120374.tif 000002
【実用新案登録請求の範囲】
【請求項１】
時刻表示部（１４）を有する時計本体（１１）と、前記時計本体（１１）前面の時刻表示部（１４）の周辺に形成される装飾面（１５）と、この装飾面（１５）に当てがわれる装飾シート（１２）と、前記装飾面（１５）を前記装飾シート（１２）を介在して覆う透明のカバー板（１３）とからなり、前記カバー板（１３）が前記時計本体（１１）に取り付けられた時計において、
上記カバー板（１３）と上記時計本体（１１）とのいずれか一方に磁石（１９）が、他方に被吸着体がそれぞれ設けられ、前記磁石（１９）と前記被吸着体との磁力による吸着によって前記カバー板（１３）が前記時計本体（１１）前面に着脱自在に取り付けられたことを特徴とする時計。
【請求項２】
上記被吸着体が、磁性体または磁石からなるピン（２５）であり、このピン（２５）は、上記カバー板（１３）の周囲に、その長さ方向が前記カバー板（１３）の厚み方向となる状態で取り付けられ、上記時計本体（１１）前面の周囲に上記磁石（１９）が、前記カバー板（１３）のピン（２５）と磁力により相互に吸着する位置に取り付けられたことを特徴とする請求項１に記載の時計。
【請求項３】
上記時計本体（１１）の装飾面（１５）の外縁形状が、これを所定の角度をもって回転させる場合での回転前後の形状が一致する形状に形成され、上記時刻表示部（１４）が、前記装飾面（５）の外縁形状に対応する縮小した相似形に形成され、かつ前記時刻表示部（１４）が前記時計本体（１１）前面と同心状態に設けられたことを特徴とする請求項１または２に記載の時計。
【請求項４】
上記カバー板（１３）に窓部（２３）が設けられ、前記カバー板（１３）が上記時計本体（１１）に取り付けられた状態で、前記窓部（２３）に上記時計本体（１１）の時刻表示部（１４）が対応して露出することを特徴とする請求項１から３のいずれかに記載の時計。
【請求項５】
上記時計本体（１１）前面の周縁部に、前方に突き出た周壁（１６）が全周にわたって設けられたことを特徴とする請求項１から４のいずれかに記載の時計。
【請求項６】
上記カバー板（１３）の周縁部に段部（２４）が形成され、前記カバー板（１３）が上記時計本体（１１）に取り付けられた状態で、前記段部（２４）と前記時計本体（１１）の周壁（１６）とが相互に嵌め合わされることを特徴とする請求項１から５のいずれかに記載の時計。
【考案の詳細な説明】
【技術分野】
【０００１】
この考案は、前面に装飾を施した時計に関する。特に、その装飾を変更することのできる時計に関する。
【背景技術】
【０００２】
一般に、目覚まし時計などの時計は、その前面に装飾が施され、その装飾は使用者が変更できないものであった。そのため、オリジナリティのある時計を希望する顧客が多く、オリジナリティのある時計として、時計前面の装飾を使用者の希望するデザインに変更できる時計が提案されている（特開２００２−２７７５６３号公報  図１、２参照）。
【０００３】
上記の前面の装飾を変更できる時計は、使用者が選択した絵や写真、様々な模様などのデザインを施した装飾シートを時計前面の時刻表示部の周囲に形成された装飾面に当てがい、この装飾シートを時計前面に着脱自在に取り付けられるカバー板で保持したものであり、前記装飾シートを他の装飾シートに交換することで、時計前面の装飾を変更することができる。
【考案の開示】
【考案が解決しようとする課題】
【０００４】
上記の前面の装飾を変更することのできる時計は、時計とカバー板との取り付け手段が、カバー板の下端外側に設けたフック状の係合部と、時計を覆うケースとの係合によるものである。この係合部分が時計前面の装飾面の外側にあるため、この係合部分が目立ち、時計前面に施した装飾による美感が損なわれるという問題あった。
【０００５】
そこで、この考案は、前面の装飾を容易に変更することができ、かつその装飾による美感が損なわれない時計を提供することを課題とする。
【課題を解決するための手段】
【０００６】
前記の課題を解決するために、この考案は、時刻表示部を有する時計本体と、前記時計本体前面の時刻表示部の周辺に形成される装飾面と、この装飾面に当てがわれる装飾シートと、前記装飾面を前記装飾シートを介在して覆う透明のカバー板とからなり、前記カバー板が前記時計本体に着脱自在に取り付けられた時計において、前記カバー板と前記時計本体とのいずれか一方に磁石が、他方に被吸着体がそれぞれ設けられ、前記磁石と前記被吸着体との磁力による吸着によって前記カバー板が前記時計本体前面に着脱自在に取り付けられた構成としたのである。
【０００７】
この構成によると、使用者の望むデザインを施した装飾シートを、時刻表示部の周囲の装飾部に当てがい、カバー板が時計本体前面に磁力による吸着によって取り付けられ、前記装飾部とカバー板との間に装飾シートを挟んだ状態で保持することができる。また、前記カバー板が時計本体前面に着脱自在に取り付けられているので、カバー板を時計本体前面から取り外して、装飾シートを交換し、再びカバー板を時計本体前面に取り付けることで別のデザインを施された装飾シートに交換することができる。
【０００８】
また、上記被吸着体が、磁性体または磁石からなるピンであり、このピンは、上記カバー板の周囲に、その長さ方向が前記カバー板の厚み方向となる状態で取り付けられ、上記時計本体前面の周囲に上記磁石が、前記カバー板のピンと磁力により相互に吸着する位置に取り付けられた構成を採用できる。この構成にすると、装飾シートが時計本体前面の装飾部に当てがわれ、カバー板が時計本体前面に取り付けられた状態では、時計本体の磁石が装飾シートに覆われる。また、前記カバー板にピンがその長さ方向をカバー板の厚み方向に取り付けられるので、カバー板のピンが目立たない。これにより、カバー板を時計本体前面に取り付けても、時計前面に施された装飾による美感が損なわれない。
【０００９】
また、上記時計本体の装飾面の外縁形状が、これを所定の角度をもって回転させる場合での回転前後の形状が一致する形状に形成され、上記時刻表示部が、前記装飾面の外縁形状に対応する縮小した相似形に形成され、かつ前記時刻表示部が前記時計本体前面と同心状態に設けられた構成を採用すると、時刻表示部の周囲に設けられた装飾部に当てがわれる装飾シートを所定の角度をもって回転させ、その向きを変えて使用することができる。このため、同じ装飾シートでもその装飾に変化を持たせることができる。
【００１０】
さらに、上記カバー板に窓部が設けられ、前記カバー板が上記時計本体に取り付けられた状態で、前記窓部に上記時計本体の時刻表示部が対応して露出する構成を採用すると、カバー板が時刻表示部を覆わないので、時刻表示部が露出し見やすくなる。
【００１１】
また、上記時計本体の前面の周縁部に、上記装飾シートを支持する周壁が設けられた構成を採用することができる。このようにすると、装飾シートを時計本体の装飾面に当てがう際に、装飾シートを周壁に突き当てて位置合わせできるので、装飾シートが装飾面からはみ出さない。
【００１２】
さらに、上記カバー板の周縁部に段部が形成され、前記カバー板が上記時計本体に取り付けられた状態で、前記段部と上記時計本体の前面周縁部の周壁とが相互に嵌め合わされた構成を採用することができる。この構成によると、カバー板を時計本体前面に取り付ける際に、時計本体前面の周壁にカバー板の段部を嵌め合わせて位置決めができるので、カバー板の位置ずれを防ぐことができる。
【考案の効果】
【００１３】
この考案は、以上のように構成したので、カバー板を取り外し、時計本体の装飾面に当てがわれた装飾シートを交換することで、容易に時計本体前面の装飾を変更することができる。また、カバー板を時計本体前面に取り付けても、時計前面に施された装飾による美感が損なわれない。
【考案を実施するための最良の形態】
【００１４】
以下、この考案の実施形態を添付図面に基づいて説明する。
時計１０は、図１に示すように、時計本体１１と、この時計本体１１の前面を装飾する装飾シート１２と、前記時計本体１１前面に着脱自在に取り付けられるカバー板１３とから構成される。
【００１５】
上記時計本体１１は、図２に示すように、その前面が正方形に形成されたものである。その前面中央に時刻を表示する正方形の時刻表示部１４が設けられる。この時刻表示部１４は、時計本体１１の前面よりも内部に凹んだ位置に設けられ、時刻が液晶画面により表示される。また、アラームや目覚まし機能などの設定の有無が表示される（図３（ａ）参照）。
【００１６】
上記時計本体１１前面の周縁部には、図２に示すように、前方に突き出た周壁１６が時計本体１１の側面部と一体に形成される。この周壁１６に囲まれた時計本体１１前面部分のうちの、時刻表示部１４の周辺に装飾面１５が形成される。
【００１７】
上記装飾面１５はその外縁形状が、これを所定の角度をもって回転させる場合での、回転前の形状と、回転後の形状とが一致する形状、すなわち、正方形に形成される。また、時刻表示部１４の形状が前記装飾面１５の外縁形状に対応する縮小した相似形となる正方形に形成され、かつ時刻表示部１４が時計本体１１前面と同心状態に設けられている。このため、時計本体１１の周壁１６と時刻表示部１４との間隔が各辺において同じになり、この装飾面に当てがわれる後述する装飾シート１２を所定の角度をもって回転させて、その向きを変えて使用することもできる。これにより、同じ装飾シート１２を使用してもその装飾に変化を持たせることができる。なお、前記装飾面１５の外縁形状および時刻表示部１４の形状は、正方形に限られず、所定の角度をもって回転させる場合での、回転前の形状と、回転後の形状とが一致する形状であればよい。例えば、図７に示すように、正三角形、正五角形などの正多角形、または、円形に形成することができる。
【００１８】
上記装飾面１５の各コーナー部分に磁石１９がそれぞれ埋め込まれる。この磁石１９の磁力により、後述するカバー板１３のピン２５を吸着し、カバー板１３を固定することができる。これにより、時計本体１１前面にカバー板１３を着脱自在に取り付けることができる。
【００１９】
また、上記装飾面１５に上記装飾シート１２を当てがう際、時計本体１１の周壁１６に装飾シート１２を突き当てて位置合わせできるので、装飾シート１２が装飾面１５からはみ出すことなく装飾面１５に当てがうことができる（図４参照）。
【００２０】
上記時計本体１１背面の下部には、図３（ｂ）に示すように、電池を収納する電池ボックス１７が設けられ、前記背面の上部には、時計本体１１の時計機能、例えば、時刻合わせ、アラームや目覚まし時刻を設定する設定ボタン１８が設けられる。さらに、前記時計本体１１背面には、前記の時計機能を初期化するリセット穴２０が設けられる。
【００２１】
上記時計本体１１前面を装飾する装飾シート１２は、図３（ａ）に示すように、上記時計本体１１前面の周壁１６に囲まれた部分と同じ大きさに形成され、その中央部分に開口部２１を有するものである。この開口部２１は、その大きさが上記時刻表示部１４の大きさに設けられ、前記装飾シート１２を装飾面１５に当てがった状態で、前記時刻表示部１４の位置と一致するものである。このため、装飾シート１２を装飾面１５に当てがっても、装飾シート１２が時刻表示部１４を覆うことはなく、時計本体１１前面を装飾することができる。
【００２２】
上記装飾シート１２の表面および裏面には、図５（ａ）（ｂ）に示すように、それぞれ異なるデザイン２２ａ、２２ｂが施される。このデザイン２２ａ、２２ｂとして、使用者の好みで写真、絵、模様、キャラクターの図柄などが用いられる。これらデザイン２２ａ、２２ｂの施された装飾シート１２が時計本体１１の装飾面１５に当てがわれ、カバー板１３が取り付けられることで、使用者の好みに合うデザインに装飾された時計１０が得られ、装飾された時計１０をインテリアの一つとして室内に置くことができる。
【００２３】
また、図６（ａ）〜（ｃ）に示すように、前記デザイン２２に会社名や会社のロゴ、店舗開店のお知らせなどを用いることで、会社案内や、販促用の時計として用いることもできる。
【００２４】
上記装飾シート１２は、前述のように、両面にそれぞれ異なるデザイン２２が施されたものであるため、装飾シート１２を裏返すだけで容易に時計１０の装飾を変更することができ、また、別の装飾シート１２と交換することで、さらに多くの種類の装飾に変更することができる。なお、上記装飾シート１２は、その材質は特に限定されないが、これを装飾面１５に当てがった状態で、後述するカバー板１３を時計本体１１前面に磁石１９により取り付けることができるものであればよく、例えば紙、布、木材、プラスチックなどを採用することができる。
【００２５】
上記時計本体１１前面に取り付けられるカバー板１３は、図２に示すように、矩形の透明なプラスチック板からなる。その外縁形状が上記時計本体１１前面の外縁形状と同じ形状であり、その中央部に窓部２３が設けられたものである。この窓部２３は、上記時刻表示部１４と同じ形状かつ大きさに形成され、その位置がカバー板１３を時計本体１１に取り付けた状態で、時刻表示部１４の位置と一致するものである。これにより、時計本体１１前面にカバー板１３を取り付けると、カバー板１３が時刻表示部１４を覆わないので、時刻表示部１４が露出し見やすくなる。
【００２６】
また、カバー板１３の片面の周縁部に段部２４が形成される。この段部２４は、厚みが上記窓部２３周辺部分の厚みよりも小さく形成される。また、前記段部２４は、カバー板１３を時計本体１１前面に取り付けた状態で、時計本体１１の周壁１６と相互に嵌まり合うものである。このため、このカバー板１３を時計本体１１の装飾面１５と接触させた状態で取り付けることができる。これにより、時計本体１１前面の周壁１６にカバー板１３の段部２４を嵌め合わせて位置決めができるので、カバー板１３の位置ずれを防ぐことができる。
【００２７】
上記カバー板１３の段部２４側表面の各コーナー部分には、上記時計本体１１の装飾面に埋められた磁石１９の磁力により吸着する被吸着体としての磁性体からなるピン２５が取り付けられる。この各ピン２５は、鉄製であり、その長さ方向が前記カバー板の厚み方向となる状態で取り付けられる。これにより、カバー板が時計本体前面に取り付けられた状態では、カバー板１３の各ピン２５が目立たず、時計前面の装飾による美感を損なわない。
【００２８】
上記ピン２５の取り付け位置は、カバー板１３を時計本体１１前面に取り付けた状態で、時計本体１１の装飾面１５に埋められた磁石１９の位置と一致する。これにより、時計本体１１前面に、カバー板１３を近づけると、そのピン２５が時計本体１１の磁石１９の磁力により引き付けられ、時計本体１１前面にカバー板１３が固定される。このため、このカバー板１３は、装飾面１５に当てがわれた装飾シート１２を時計本体１１前面に挟んで保持することができ、これを時計本体１１前面に容易に取り付け、または取り外しすることができる。なお、前記ピン２５は、磁石であってもよい。この場合、時計本体１１の装飾面１５に埋められた磁石１９と、前記磁石からなるピン２５の表面には互いに異なる磁極を持たせる必要があり、例えば、時計本体１１に埋められた各磁石１９をＮ極、各ピン２５をＳ極とすることができる。
【００２９】
以上のように、この実施形態の時計１０は構成され、以下にその使用方法を説明する。
まず、上記時計本体１１前面に、使用者の好みのデザイン２２が施された装飾シート１２が当てがわれる。このとき、時計本体１１の周壁１６に装飾シート１２の端部を突き当てて位置合わせできるので、装飾シート１２が装飾面１５からはみ出すことなく装飾面１５に当てがうことができる。
【００３０】
次に、上記装飾シート１２が装飾面１５に当てがわれた状態で、上記カバー板１３が、時計本体１１前面に、その磁石１９の磁力によって取り付けられる。これにより、このカバー板１３が装飾面１５に当てがわれた装飾シート１２を時計本体１１前面に挟んで保持するので、前記装飾シート１２に施されたデザイン２２により時計１０の前面を装飾することができる。このとき、時計本体１１前面に取り付けられた磁石１９は、装飾面１５に当てがわれた装飾シート１２により覆われ、また、カバー板１３に取り付けられたピン２５は、目立たないので、装飾シート１２による装飾の美感を損なうことがない。
【００３１】
また、上記時計１０前面の装飾を変更するには、上記カバー板１３を時計本体１１から取り外し、さらに、装飾シート１２を装飾面１５から取り外す。上述のように装飾シート１２には両面にデザイン２２が施されているので、この装飾シート１２を裏返して時計本体１１の装飾面１５に当てがい、カバー板１３を取り付ければよい。また、他の装飾シート１２に交換し、この交換した装飾シート１２を、時計本体１１の装飾面１５に当てがい、カバー板１３を取り付けてもよい。このようにすれば、上記時計１０の装飾を容易に変更することができる。
【図面の簡単な説明】
【００３２】
【図１】実施形態の時計を示す斜視図
【図２】同上の時計を示す分解斜視図
【図３】（ａ）同上の時計を示す正面図、（ｂ）同上の時計を示す背面図
【図４】同上の時計を示す縦断面図
【図５】（ａ）同上の装飾シート表面のデザイン、（ｂ）（ａ）の裏面のデザイン
【図６】（ａ）同上の他の装飾シートのデザイン１、（ｂ）同上の装飾シートのデザイン２、（ｃ）同上の装飾シートのデザイン３
【図７】（ａ）同上の正三角形の時計本体を示す正面図、（ｂ）同上の正五角形の時計本体を示す正面図、（ｃ）同上の円形の時計本体を示す正面図
【符号の説明】
【００３３】
１０  時計
１１  時計本体
１２  装飾シート
１３  カバー板
１４  時刻表示部
１５  装飾面
１６  周壁
１７  電池ボックス
１８  設定ボタン
１９  磁石
２０  リセット穴
２１  開口部
２２  デザイン
２３  窓部
２４  段部
２５  ピン
【図１】
0003120374.tif 000003
【図２】
0003120374.tif 000004
【図３】
0003120374.tif 000005
【図４】
0003120374.tif 000006
【図５】
0003120374.tif 000007
【図６】
0003120374.tif 000008
【図７】
0003120374.tif 000009